【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
吸収性物品であって、
第１の布地層と第２の布地層との間にサンドイッチされた内側弾性構造体を備えた多層身体側シャーシと、
外側弾性構造体を備えた多層外側シャーシと、
前記多層身体側シャーシと前記多層外側シャーシとの間に位置決めされた吸収性部材とを有し、
前記内側弾性構造体は、前記吸収性部材の上方に伸縮性環状カフを形成するよう前記第１および前記第２の布地層内に支持され、
前記伸縮性環状カフは複数の弾性ストランドを含み、複数の前記弾性ストランドは前記吸収性部材の上方に位置決めされ、
前記伸縮性環状カフは前記吸収性部材の上方且つ前記吸収性部材の周囲の内方に位置する複数の離隔した前記弾性ストランドを含む、吸収性物品。
【請求項２】
前記多層身体側シャーシは、前記内側弾性構造体の内方に位置決めされかつ前記吸収性部材の上方に配置された開口部を有する、請求項１記載の吸収性物品。
【請求項３】
前記環状カフは、前記吸収性部材の周囲の内方に位置する前記吸収性部材の中央部分を包囲した前記内側弾性構造体の複数の離隔した弾性ストランドを有する、請求項１記載の吸収性物品。
【請求項４】
前記内側弾性構造体は、前記吸収性部材の互いに反対側の横方向側縁周りに２つの横方向に離隔した場所に向かって先細りになる複数の離隔した弾性体を含む少なくとも２つの組をなす弾性分布を有し、弾性分布の一方の組は、前記吸収性部材の端領域の近くで前記先細り領域相互間を横断し、他方の組は、前記吸収性部材の反対側の第２の端領域の近くで前記先細り領域相互間を横切っている、請求項１記載の吸収性物品。
【請求項５】
前記内側弾性構造体は、前記吸収性部材の互いに反対側の横方向側縁周りの２つの横方向に離隔した場所に向かって先細りになる複数の離隔した弾性体を含む少なくとも２つの組をなす弾性分布を有し、第１の組の少なくとも１つの弾性体は、第２の組の少なくとも１つの弾性体と交差し、第１の組の少なくとも１つの弾性体は、前記第２の組の少なくとも１つの弾性体と交差していない、請求項１記載の吸収性物品。
【請求項６】
前記内側弾性構造体は、２つの組をなす弾性分布を有し、弾性分布の第１の組は、弾性分布の第２の組の曲線状区分と相互にかつ周期的に先細りになったり末広がりになったりする曲線状区分を含み、弾性分布の前記第１および前記第２の組の各々は、多数の相互に離隔した弾性ストランドを含み、前記弾性分布の組が先細りになってゆく場所のところでは、前記第１の組の弾性体は、前記第２の組の弾性体と交差している、請求項１記載の吸収性物品。
【請求項７】
接合領域では、前記多層身体側シャーシは、前記多層外側シャーシおよび前記吸収性部材に接合され、非接合領域では、前記多層身体側シャーシは、前記多層外側シャーシから取り外されかつ前記吸収性部材から取り外され、しかも該吸収性部材から遠ざかるよう動くことができ、前記環状カフは、前記非接合領域内に配置され、前記環状カフは、該環状カフと前記吸収性部材との間に三次元空間を提供するよう前記吸収性部材から動くことができる、請求項１記載の吸収性物品。
【請求項８】
前記多層外側シャーシは、互いに離隔した弾性体が前記多層外側シャーシの一方の側部領域から横方向にかつ前記吸収性部材の下を前記吸収性部材の反対側の側部領域まで横断する前記外側弾性構造体の領域を有する、請求項１記載の吸収性物品。
【請求項９】
前記内側弾性構造体は、互いにオーバーラップした少なくとも２つの組をなす弾性ストランドを含む、請求項１記載の吸収性物品。
【請求項１０】
前記開口部は、前記内側弾性構造体の前記弾性ストランドの組相互間の空間内に配置されている、請求項２記載の吸収性物品。
【請求項１１】
前記多層外側シャーシは、第４の布地層に接合された第３の布地層を有し、前記外側弾性構造体は、前記第３の布地層と前記第４の布地層との間にサンドイッチされた複数の弾性ストランドを有する、請求項１記載の吸収性物品。
【請求項１２】
前記吸収性部材は、トップシート層、バックシート層、および前記トップシート層と前記バックシート層との間に配置された吸収性コアの組立体を有する、請求項１記載の吸収性物品。
【請求項１３】
前記多層身体側シャーシは、前記吸収性部材および前記多層外側シャーシに部分的に接合されている、請求項１記載の吸収性物品。
【請求項１４】
前記開口部の周りの前記多層身体側シャーシの領域は、前記多層外側シャーシおよび前記吸収性部材に接合されていない、請求項２記載の吸収性物品。
【請求項１５】
前記環状カフは、前記吸収性部材の周りにバリヤを形成する、請求項１記載の吸収性物品。
【請求項１６】
前記環状カフは、前記吸収性部材を取り囲む、請求項１記載の吸収性物品。
【請求項１７】
前記吸収性物品は、前記多層身体側シャーシが前記多層外側シャーシに接合された接合ゾーンおよび前記多層身体側シャーシが前記多層外側シャーシ又は前記吸収性部材に接合されていない非接合ゾーンを有する、請求項２記載の吸収性物品。
【請求項１８】
前記吸収性部材は、横方向広がり、および長手方向広がりよりも小さい厚さを有しているコア複合材である、請求項１記載の吸収性物品。
【請求項１９】
前記外側弾性構造体は、前記吸収性部材の下に位置決めされた弾性ストランドを含む、請求項１記載の吸収性物品。
【請求項２０】
前記外側弾性構造体の少なくともいくつかの前記弾性ストランドは、前記内側弾性構造体の少なくともいくつかの前記弾性ストランドの下に位置決めされる、請求項１記載の吸収性物品。
【請求項２１】
収縮状態における前記内側弾性構造体及び前記外側弾性構造体とともに、前記環状カフは前記多層身体側シャーシのシャーリング部分を有し、このシャーリング部分は、前記多層外側シャーシに接合されておらず、前記吸収性部材の表面から出っ張り、前記吸収性部材の表面から戻るように曲がり、又は、前記吸収性部材の表面から離れるように突出する、請求項１記載の吸収性物品。
【請求項２２】
前記多層身体側シャーシ及び前記多層外側シャーシは、前記多層外側シャーシの接合領域のところで共に接合され、前記接合領域の内側の前記多層外側シャーシの非接合領域のところで非接合とされ、前記弾性ストランドを含む前記環状カフは、前記非接合領域内において前記接合領域の内側に向けて配置される、請求項１記載の吸収性物品。
【請求項２３】
前記伸縮性環状カフは、前記吸収性部材の上方に位置決めされる少なくとも３つの離隔した前記弾性ストランドを含む、請求項１記載の吸収性物品。
【請求項２４】
吸収性物品であって、  内側伸縮性シャーシを有し、
前記内側伸縮性シャーシを貫通して形成された開口部を有し、
前記内側伸縮性シャーシに部分的に接合された外側伸縮性シャーシを有し、前記開口部は、前記外側伸縮性シャーシに接合されていない前記内側伸縮性シャーシの部分と一致し、
前記内側伸縮性シャーシと前記外側伸縮性シャーシとの間に位置決めされた吸収性部材を有し、前記内側伸縮性シャーシは、前記吸収性部材の上方に位置決めされた環状カフを形成し、前記環状カフの前記内周縁は、前記開口部を画定し、
前記環状カフは、前記吸収性部材の上方且つ前記吸収性部材の外側周囲の内方に位置する複数の前記弾性ストランドを含む伸縮性環状カフである、吸収性物品。
【請求項２５】
前記内側伸縮性シャーシは、内側布地層及び前記内側布地層に接合された内側弾性構造体を有し、前記外側伸縮性シャーシは、外側布地層及び前記外側布地層に接合された外側弾性構造体を有し、前記内側弾性構造体及び前記外側弾性構造体の収縮が、前記環状カフを形成する、請求項２４記載の吸収性物品。
【請求項２６】
吸収性物品であって、
外側シャーシと接合された内側シャーシを有する伸縮性シャーシであって、前記内側シャーシは、内側布地シート及び前記内側布地シートに接合された内側弾性構造体を有し、前記外側シャーシは、外側布地シート及び前記外側布地シートに接合された外側弾性構造体を有する、前記伸縮性シャーシを有し、
前記内側布地シートを貫通して形成された開口部を有し、前記内側弾性構造体が少なくとも部分的に前記開口部を囲むと共に前記開口部の周りの前記内側シャーシ内において前記環状カフを形成し、
前記内側シャーシ及び前記外側シャーシの間且つ前記開口部の下に配置される吸収性部材を有し、前記吸収性部材は伸縮性であり、前記環状カフは、前記吸収性部材の上にあり、
前記環状カフは、前記吸収性部材の上且つ前記吸収性部材の外側周囲の内方に位置する複数の前記弾性ストランドを含む伸縮性環状カフであり、前記弾性ストランドは、２つの領域において２つの前記弾性ストランド相互間を横切っている２つの離隔した前記弾性ストランドを含み、
２つの前記弾性ストランドのそれぞれにおける前記弾性ストランドは、互いに離隔されている、吸収性物品。
【請求項２７】
吸収性物品であって、
第１の布地層と第２の布地層との間にサンドイッチされた内側弾性構造体を備えた多層身体側シャーシと、
外側弾性構造体を備えた多層外側シャーシと、
前記多層身体側シャーシと前記多層外側シャーシとの間に位置決めされた吸収性部材とを有し、
前記内側弾性構造体は、前記吸収性部材の上方に伸縮性環状カフを形成するよう前記第１および前記第２の布地層内に支持され、
前記伸縮性環状カフは複数の弾性ストランドを含み、複数の前記弾性ストランドは前記吸収性部材の上方に位置決めされ、
前記伸縮性環状カフは前記吸収性部材の上方且つ前記吸収性部材の周囲の内方に位置する複数の離隔した前記弾性ストランドを含み、
前記多層身体側シャーシと前記多層外側シャーシとは、前記多層外側シャーシの接合領域のところで共に接合され、前記接合領域の内側の前記多層外側シャーシの非接合領域のところで非接合とされ、前記弾性ストランドを含む前記環状カフは、前記非接合領域内において前記接合領域の内側に向けて配置される、吸収性物品。